【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
示差走査熱量計（ＤＳＣ）で測定した融点（Ｔｍ）が２９０℃以上３４０℃以下であるポリアミド樹脂（Ａ）と、
示差走査熱量計（ＤＳＣ）で測定した、昇温過程（昇温速度：１０℃／ｍｉｎ）における融解熱量(ΔＨ)が０Ｊ／ｇ以上５Ｊ／ｇ以下であるポリアミド樹脂（Ｂ）（ただし、ポリアミド樹脂（Ａ）とは異なる）と、
有機リン酸エステルの金属塩である結晶核剤（Ｃ）と
を含むポリアミド樹脂組成物であって、
前記ポリアミド樹脂（Ａ）と前記ポリアミド樹脂（Ｂ）との含有質量比（Ａ）／（Ｂ）は、４５／５５〜１００／０であり、
前記結晶核剤（Ｃ）の含有量は、前記ポリアミド樹脂（Ａ）と前記ポリアミド樹脂（Ｂ）との合計１００質量部に対し、０．１〜１．５質量部であり、且つ
結晶化度が１４％以上２４％以下である、ポリアミド樹脂組成物。
【請求項２】
前記ポリアミド樹脂（Ａ）は、
テレフタル酸成分単位を含むジカルボン酸成分単位（ａ１）と、
炭素原子数４〜２０の脂肪族ジアミン成分単位を含むジアミン成分単位（ａ２）とを含み、
前記ジカルボン酸成分単位（ａ１）は、前記ジカルボン酸成分単位（ａ１）の合計量１００モル％に対して、テレフタル酸成分単位を２０〜１００モル％、テレフタル酸以外の芳香族ジカルボン酸成分単位を０〜８０モル％、炭素原子数４〜２０の脂肪族ジカルボン酸成分単位を０〜６０モル％含む、
請求項１に記載のポリアミド樹脂組成物。
【請求項３】
前記ポリアミド樹脂（Ａ）において、
前記ジカルボン酸成分単位（ａ１）の合計量１００モル％に対して、テレフタル酸成分単位を４０〜８０モル％、アジピン酸成分単位を２０〜６０モル％含む、
請求項２に記載のポリアミド樹脂組成物。
【請求項４】
前記ポリアミド樹脂（Ａ）において、
前記ジカルボン酸成分単位（ａ１）に含まれる前記テレフタル酸以外の芳香族ジカルボン酸成分単位は、イソフタル酸成分単位を含む、
請求項２に記載のポリアミド樹脂組成物。
【請求項５】
前記ポリアミド樹脂（Ａ）において、
前記ジカルボン酸成分単位（ａ１）の合計量１００モル％に対して、テレフタル酸成分単位を５５〜８０モル％、イソフタル酸成分単位を２０〜４５モル％含む、
請求項４に記載のポリアミド樹脂組成物。
【請求項６】
前記ポリアミド樹脂（Ａ）において、
前記ジアミン成分単位（ａ２）に含まれる炭素原子数４〜２０の脂肪族ジアミン成分単位は、炭素原子数４〜２０の直鎖状アルキレンジアミン成分単位を含む、
請求項２〜５のいずれか一項に記載のポリアミド樹脂組成物。
【請求項７】
前記直鎖状アルキレンジアミン成分単位が１，６−ジアミノヘキサン成分単位であり、
前記ジアミン成分単位（ａ２）の合計量１００モル％に対して、１，６−ジアミノヘキサン成分単位を８０〜１００モル％含む、
請求項６に記載のポリアミド樹脂組成物。
【請求項８】
前記ジアミン成分単位（ａ２）に含まれる炭素原子数４〜２０の脂肪族ジアミン成分単位は、１，６−ジアミノヘキサン成分単位及び２−メチル−１，５−ジアミノペンタン成分単位を含む、
請求項２〜５のいずれか一項に記載のポリアミド樹脂組成物。
【請求項９】
前記ポリアミド樹脂（Ａ）において、前記ジカルボン酸成分単位（ａ１）がテレフタル酸成分単位及びイソフタル酸成分単位を含み、前記ジアミン成分単位（ａ２）が１，６−ジアミノヘキサン成分単位を含む、
請求項２に記載のポリアミド樹脂組成物。
【請求項１０】
前記ポリアミド樹脂（Ａ）において、前記ジカルボン酸成分単位（ａ１）がテレフタル酸成分単位及びアジピン酸成分単位を含み、前記ジアミン成分単位（ａ２）が１，６−ジアミノヘキサン成分単位を含む、
請求項２に記載のポリアミド樹脂組成物。
【請求項１１】
前記ポリアミド樹脂（Ｂ）は、
イソフタル酸成分単位を含むジカルボン酸成分単位（ｂ１）と、
炭素原子数４〜１５の脂肪族ジアミン成分単位を含むジアミン成分単位（ｂ２）とを含む、
請求項１〜１０のいずれか一項に記載のポリアミド樹脂組成物。
【請求項１２】
前記ポリアミド樹脂（Ｂ）において、
前記ジカルボン酸成分単位（ｂ１）は、テレフタル酸成分単位をさらに含んでいてもよく、
前記ジカルボン酸成分単位（ｂ１）の合計量１００モル％に対して、イソフタル酸成分単位を５５〜１００モル％、テレフタル酸成分単位を０〜４５モル％含む、
請求項１１に記載のポリアミド樹脂組成物。
【請求項１３】
前記結晶核剤（Ｃ）である前記有機リン酸エステルの金属塩は、環状リン酸エステルの金属塩である、
請求項１〜１２のいずれか一項に記載のポリアミド樹脂組成物。
【請求項１４】
充填材（Ｄ）をさらに含み、
前記充填材（Ｄ）の含有量は、前記ポリアミド樹脂（Ａ）と前記ポリアミド樹脂（Ｂ）との合計１００質量部に対し、０．３〜３．０重量部である、
請求項１〜１３のいずれか一項に記載のポリアミド樹脂組成物。
【請求項１５】
請求項１〜１４のいずれか一項に記載のポリアミド樹脂組成物を含む成形品。
【手続補正２】
【補正対象書類名】明細書
【補正対象項目名】０００９
【補正方法】変更
【補正の内容】
【０００９】
本発明の第一は、以下のポリアミド樹脂組成物に関する。
［１］  示差走査熱量計（ＤＳＣ）で測定した融点（Ｔｍ）が２９０℃以上３４０℃以下であるポリアミド樹脂（Ａ）と、
示差走査熱量計（ＤＳＣ）で測定した、昇温過程（昇温速度：１０℃／ｍｉｎ）における融解熱量(ΔＨ)が０Ｊ／ｇ以上５Ｊ／ｇ以下であるポリアミド樹脂（Ｂ）（ただし、ポリアミド樹脂（Ａ）とは異なる）と、
有機リン酸エステルの金属塩である結晶核剤（Ｃ）と
を含むポリアミド樹脂組成物であって、
前記ポリアミド樹脂（Ａ）と前記ポリアミド樹脂（Ｂ）との含有質量比（Ａ）／（Ｂ）は、４５／５５〜１００／０であり、
前記結晶核剤（Ｃ）の含有量は、前記ポリアミド樹脂（Ａ）と前記ポリアミド樹脂（Ｂ）との合計１００質量部に対し、０．１〜１．５質量部であり、且つ
結晶化度が１４％以上２４％以下である、ポリアミド樹脂組成物。
［２］  前記ポリアミド樹脂（Ａ）は、
テレフタル酸成分単位を含むジカルボン酸成分単位（ａ１）と、
炭素原子数４〜２０の脂肪族ジアミン成分単位を含むジアミン成分単位（ａ２）とを含み、
前記ジカルボン酸成分単位（ａ１）は、前記ジカルボン酸成分単位（ａ１）の合計量１００モル％に対して、テレフタル酸成分単位を２０〜１００モル％、テレフタル酸以外の芳香族ジカルボン酸成分単位を０〜８０モル％、炭素原子数４〜２０の脂肪族ジカルボン酸成分単位を０〜６０モル％含む、［１］に記載のポリアミド樹脂組成物。
［３］  前記ポリアミド樹脂（Ａ）において、
前記ジカルボン酸成分単位（ａ１）の合計量１００モル％に対して、テレフタル酸成分単位を４０〜８０モル％、アジピン酸成分単位を２０〜６０モル％含む、［２］に記載のポリアミド樹脂組成物。
［４］  前記ポリアミド樹脂（Ａ）において、
前記ジカルボン酸成分単位（ａ１）に含まれる前記テレフタル酸以外の芳香族ジカルボン酸成分単位は、イソフタル酸成分単位を含む、［２］に記載のポリアミド樹脂組成物。
［５］  前記ポリアミド樹脂（Ａ）において、
前記ジカルボン酸成分単位（ａ１）の合計量１００モル％に対して、テレフタル酸成分単位を５５〜８０モル％、イソフタル酸成分単位を２０〜４５モル％含む、［４］に記載のポリアミド樹脂組成物。
［６］  前記ポリアミド樹脂（Ａ）において、
前記ジアミン成分単位（ａ２）に含まれる炭素原子数４〜２０の脂肪族ジアミン成分単位は、炭素原子数４〜２０の直鎖状アルキレンジアミン成分単位を含む、［２］〜［５］のいずれかに記載のポリアミド樹脂組成物。
［７］  前記直鎖状アルキレンジアミン成分単位が１，６−ジアミノヘキサン成分単位であり、
前記ジアミン成分単位（ａ２）の合計量１００モル％に対して、１，６−ジアミノヘキサン成分単位を８０〜１００モル％含む、［６］に記載のポリアミド樹脂組成物。
［８］  前記ジアミン成分単位（ａ２）に含まれる炭素原子数４〜２０の脂肪族ジアミン成分単位は、１，６−ジアミノヘキサン成分単位及び２−メチル−１，５−ジアミノペンタン成分単位を含む、［２］〜［５］のいずれかに記載のポリアミド樹脂組成物。
［９］  前記ポリアミド樹脂（Ａ）において、前記ジカルボン酸成分単位（ａ１）がテレフタル酸成分単位及びイソフタル酸成分単位を含み、前記ジアミン成分単位（ａ２）が１，６−ジアミノヘキサン成分単位を含む、［２］に記載のポリアミド樹脂組成物。
［１０］  前記ポリアミド樹脂（Ａ）において、前記ジカルボン酸成分単位（ａ１）がテレフタル酸成分単位及びアジピン酸成分単位を含み、前記ジアミン成分単位（ａ２）が１，６−ジアミノヘキサン成分単位を含む、［２］に記載のポリアミド樹脂組成物。
［１１］  前記ポリアミド樹脂（Ｂ）は、
イソフタル酸成分単位を含むジカルボン酸成分単位（ｂ１）と、
炭素原子数４〜１５の脂肪族ジアミン成分単位を含むジアミン成分単位（ｂ２）とを含む、［１］〜［１０］のいずれかに記載のポリアミド樹脂組成物。
［１２］  前記ポリアミド樹脂（Ｂ）において、
前記ジカルボン酸成分単位（ｂ１）は、テレフタル酸成分単位をさらに含んでいてもよく、
前記ジカルボン酸成分単位（ｂ１）の合計量１００モル％に対して、イソフタル酸成分単位を５５〜１００モル％、テレフタル酸成分単位を０〜４５モル％含む、［１１］に記載のポリアミド樹脂組成物。
［１３］  前記結晶核剤（Ｃ）である前記有機リン酸エステルの金属塩は、環状リン酸エステルの金属塩である、［１］〜［１２］のいずれかに記載のポリアミド樹脂組成物。
［１４］  充填材（Ｄ）をさらに含み、
前記充填材（Ｄ）の含有量は、前記ポリアミド樹脂（Ａ）と前記ポリアミド樹脂（Ｂ）との合計１００質量部に対し、０．３〜３．０重量部である、［１］〜［１３］のいずれかに記載のポリアミド樹脂組成物。